(57)【特許請求の範囲】
【請求項１】
手書き入力部とタッチパネル式表示部とを有する辞書機能を備えた電子機器であって、
複数の見出し語と当該見出し語の説明情報とが対応付けられた辞書情報を記憶する辞書記憶手段と、
辞書検索のための検索文字が入力される入力画面を前記タッチパネル式表示部に表示する入力画面表示手段と、
前記手書き入力部にてユーザ操作により入力された手書き文字を文字認識する文字認識手段と、
この文字認識手段で１文字認識される毎に文字認識された文字を前記タッチパネル式表示部の入力画面及び前記手書き入力部に検索文字として追加表示させる認識文字表示制御手段と、
前記認識文字表示制御手段により文字認識された文字が追加表示される毎に、前記入力画面に表示された検索文字により前記辞書記憶手段に記憶された見出し語の検索を行い検索結果を表示する検索手段と、
前記認識文字表示制御手段により前記タッチパネル式表示部の入力画面および前記手書き入力部の両方に表示された検索文字のうちいずれか一方の１文字がユーザ操作に応じてタッチ指定された場合に、当該指定された文字を訂正する認識文字訂正手段と、
この認識文字訂正手段により訂正された場合に、訂正後の検索文字について前記検索手段に再検索を行わせる再検索制御手段と
を備えたことを特徴とする辞書機能を備えた電子機器。
【請求項２】
前記認識文字訂正手段は、前記手書き入力部に前記指定された文字について前記文字認識手段で得られた他の認識候補を表示し、ユーザに選択させるようにしたことを特徴とする請求項１に記載の辞書機能を備えた電子機器。
【請求項３】
前記辞書記憶手段は、複数種類の辞書情報を記憶し、
前記辞書記憶手段に記憶された辞書情報の１つを選択する辞書選択手段と、
この辞書選択手段により選択された辞書に応じた手書き文字認識用の入力枠を前記手書き入力部に表示させる手書き入力枠表示制御手段と、
を備えたことを特徴とする請求項１または2に記載の辞書機能を備えた電子機器。
【請求項４】
複数の見出し語と当該見出し語の説明情報とが対応付けられた辞書情報を記憶しているメモリと手書き入力部とタッチパネル式表示部とを有する辞書機能を備えた電子機器における検索文字の入力方法であって、
辞書検索のための検索文字が入力される入力画面を前記タッチパネル式表示部に表示する入力画面表示ステップと、
前記手書き入力部にてユーザ操作により入力された手書き文字を文字認識する文字認識ステップと、
この文字認識ステップで１文字認識される毎に文字認識された文字を前記タッチパネル式表示部の入力画面及び前記手書き入力部に検索文字として追加表示させる認識文字表示制御ステップと、
前記認識文字表示制御ステップにより文字認識された文字が追加表示される毎に、前記入力画面に表示された検索文字により前記辞書情報の見出し語の検索を行い検索結果を表示する検索ステップと、
前記認識文字表示制御ステップにより前記タッチパネル式表示部の入力画面および前記手書き入力部の両方に表示された検索文字のうち何れか一方の１文字がユーザ操作に応じてタッチ指定された場合に、当該指定された文字を訂正する認識文字訂正ステップと、
この認識文字訂正ステップにより訂正された場合に、訂正後の検索文字について前記メモリに記憶されている見出し語の再検索を行い検索結果を表示する再検索ステップと
からなる辞書機能を備えた電子機器における検索文字の入力方法。
【請求項５】
手書き入力部とタッチパネル式表示部とを有する辞書機能を備えた電子機器のコンピュータを、
複数の見出し語と当該見出し語の説明情報とが対応付けられた辞書情報を記憶する辞書記憶手段と、
辞書検索のための検索文字が入力される入力画面を前記タッチパネル式表示部に表示する入力画面表示手段と、
前記手書き入力部にてユーザ操作により入力された手書き文字を文字認識する文字認識手段と、
この文字認識手段で１文字認識される毎に文字認識された文字を前記タッチパネル式表示部の入力画面及び前記手書き入力部に検索文字として追加表示させる認識文字表示制御手段と、
前記認識文字表示制御手段により文字認識された文字が追加表示される毎に、前記入力画面に表示された検索文字により前記辞書記憶手段に記憶された見出し語の検索を行い検索結果を表示する検索手段と、
前記認識文字表示制御手段により前記タッチパネル式表示部の入力画面および前記手書き入力部の両方に表示された検索文字のうちいずれか一方の１文字がユーザ操作に応じてタッチ指定された場合に、当該指定された文字を訂正する認識文字訂正手段と、
この認識文字訂正手段により訂正された場合に、訂正後の検索文字について前記検索手段に再検索を行わせる再検索制御手段と
として機能させるためのプログラム。
【発明の詳細な説明】
【技術分野】
【０００１】
本発明は、手書き入力部とタッチパネル付き表示部とを有し、入力された文字に対応して辞書の検索を行う辞書機能を備えた電子機器、辞書機能を備えた電子機器における検索文字の入力方法およびプログラムに関する。
【背景技術】
【０００２】
従来から、キー入力表示された文字（列）をキーワード（検索文字（列））として辞書の見出し語を検索し、その意味内容を表示させるようにした電子辞書装置が実用されている。
【０００３】
そして、前記辞書検索のためのキーワードを入力するために、キー入力部（キーボード）だけでなく手書き入力部も備え、ユーザが読めない漢字などもこの手書き入力部にて手書き入力して文字認識させ、前記キーワードとして入力し、辞書検索表示させるようにした手書き入力機能付きの電子辞書装置も考えられている（例えば、特許文献１参照。）。
【先行技術文献】
【特許文献】
【０００４】
【特許文献１】特開２００５−１６５５３３号公報
【発明の概要】
【発明が解決しようとする課題】
【０００５】
近年、電子辞書装置に収録される辞書コンテンツの数はメモリ容量の飛躍的向上から急増しており、複数の異なる言語をそれぞれ見出し語とする複数種類の辞書コンテンツを１つの電子辞書装置に収録したものもある。
【０００６】
前記従来の手書き入力機能付きの電子辞書装置において、その手書き部における文字入力枠の大きさは当該手書き部の広さに応じた制限を受けるが、枠数を多くして小さく区切った場合には、漢字などの複雑な文字を正しく手書き入力するのが難しくなり、また逆に枠数を少なくして大きく区切った場合には、英単語などスペル１文字ずつの字画は単純ながらも一連の文字列を効率よく手書き入力するのが難しくなる。
【０００７】
本発明の目的は、効率よく手書きの文字を入力することが可能な辞書機能を備えた電子機器を提供することにある。
【課題を解決するための手段】
【０００８】
本発明は、
手書き入力部とタッチパネル式表示部とを有する辞書機能を備えた電子機器であって、
複数の見出し語と当該見出し語の説明情報とが対応付けられた辞書情報を記憶する辞書記憶手段と、
辞書検索のための検索文字が入力される入力画面を前記タッチパネル式表示部に表示する入力画面表示手段と、
前記手書き入力部にてユーザ操作により入力された手書き文字を文字認識する文字認識手段と、
この文字認識手段で１文字認識される毎に文字認識された文字を前記タッチパネル式表示部の入力画面及び前記手書き入力部に検索文字として追加表示させる認識文字表示制御手段と、
前記認識文字表示制御手段により文字認識された文字が追加表示される毎に、前記入力画面に表示された検索文字により前記辞書記憶手段に記憶された見出し語の検索を行い検索結果を表示する検索手段と、
前記認識文字表示制御手段により前記タッチパネル式表示部の入力画面および前記手書き入力部の両方に表示された検索文字のうちいずれか一方の１文字がユーザ操作に応じてタッチ指定された場合に、当該指定された文字を訂正する認識文字訂正手段と、
この認識文字訂正手段により訂正された場合に、訂正後の検索文字について前記検索手段に再検索を行わせる再検索制御手段と
を備えたことを特徴とする。
【発明の効果】
【００１３】
本発明によれば、効率よく手書きの文字を入力することが可能な辞書機能を備えた電子機器を提供できる。
【図面の簡単な説明】
【００１４】
【図１】本発明の辞書機能を備えた電子機器の実施形態に係る手書き入力機能付き電子辞書装置１０の外観構成を示す正面図。
【図２】前記手書き入力機能付き電子辞書装置１０の電子回路の構成を示すブロック図。
【図３】前記手書き入力機能付き電子辞書装置１０により手書き入力された文字から辞書検索を行うための手書き辞書検索処理を示すフローチャート。
【図４】前記手書き入力機能付き電子辞書装置１０の手書き辞書検索処理に伴う辞書選択処理を示すフローチャート。
【図５】前記手書き入力機能を備えた電子辞書装置１０の辞書選択処理に伴うユーザ操作に応じた表示動作を示す図。
【図６】前記手書き入力機能付き電子辞書装置１０の手書き辞書検索処理に伴う検索文字列入力処理を示すフローチャート。
【図７】前記手書き入力機能付き電子辞書装置１０の手書き辞書検索処理に伴う指定見出し語の説明情報表示処理を示すフローチャート。
【図８】前記手書き入力機能を備えた電子辞書装置１０の検索文字列入力・訂正処理および指定見出し語の説明情報表示処理に伴うユーザ操作に応じた表示動作を示す図。
【図９】前記手書き入力機能付き電子辞書装置１０の手書き辞書検索処理に伴う漢字系辞書での検索処理を示すフローチャート。
【図１０】前記手書き入力機能を備えた電子辞書装置１０の漢字系辞書での検索処理に伴うユーザ操作に応じた表示動作を示す図。
【発明を実施するための形態】
【００１５】
以下図面により本発明の実施の形態について説明する。
図１は、本発明の辞書機能を備えた電子機器の実施形態に係る手書き入力機能付き電子辞書装置１０の外観構成を示す正面図である。
【００１６】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、「訳／決定」キー１４ｃ、カーソルキー１４ｄ、スピーカ１５Ｌ，１５Ｒなどを備えたキー入力部（キーボード）１４、および手書き入力部（副画面）１６が備えられる。
【００１７】
この手書き入力部（副画面）１６は、ユーザがペンや指等でタッチした位置を検出するタッチ位置検出装置と表示装置が一体となった構造であり、キー入力部１４の中央手前側において例えば２５６×６４ドットの液晶表示画面１６ｄに透明タッチパネル１６ｔを重ねて構成される。この手書き入力部１６の入力領域は、必要に応じて、手書き文字を入力するための手書き文字入力領域や各種機能のボタン入力領域、あるいは各入力領域が混在する領域に切り替えられる。
【００１８】
そして、前記手書き入力部１６が手書き文字入力領域に切り替えられた状態での手書き入力に伴う軌跡はその液晶表示画面にエコーバックして表示される。
【００１９】
また蓋体ケース１２の表面には、そのほぼ全面を対象に例えば４８０×３２０ドットのバックライト付きのタッチパネル式表示部（主画面）１７が設けられる。このタッチパネル式表示部（主画面）１７も、前記手書き入力部（副画面）１６と同様に、ユーザがペンや指等でタッチした位置を検出するタッチ位置検出装置と表示装置が一体となった構造であり、その液晶表示画面１７ｄに透明タッチパネル１７ｔを重ねて構成される。
【００２０】
図２は、前記手書き入力機能付き電子辞書装置１０の電子回路の構成を示すブロック図である。
【００２１】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ（central processing unit）２１が備えられる。
【００２２】
ＣＰＵ２１は、記憶装置（フラッシュＲＯＭ）２２内に予め記憶された装置制御用のシステムプログラム２５に応じて、メモリ（ＲＡＭ）２３を作業領域として回路各部の動作を制御する。
【００２３】
前記記憶装置２２に記憶されたシステムプログラムは、キー入力部（キーボード）１４や手書き入力部１６、タッチパネル式表示部１７からのユーザ操作に応じた入力信号に応じて起動される。
【００２４】
前記ＣＰＵ２１には、前記キー入力部１４、手書き入力部１６、記憶装置２２、メモリ２３が接続される他に、タッチパネル式表示部１７などが接続される。
【００２５】
記憶装置２２に記憶される装置制御用のシステムプログラム２５としては、当該電子辞書装置１０の全体の動作を司るシステムプログラムの他に、ユーザ選択された辞書の見出し語の使用言語（日本語，英語など）に応じて検索文字列の入力方式を切り替える辞書選択処理プログラム、手書き入力された検索文字列の認識・訂正・確定入力文字に応じた見出し語検索を行う検索文字列入力処理、指定の見出し語に対応した訳語・意味内容・例文（用例）などの各種説明情報の読み出し表示を行う説明情報表示処理プログラムなどが記憶される。
【００２６】
そして前記記憶装置２２内には、各種の辞書データ２４ａ，２４ｂ，…が記憶される。この各種の辞書データ２４ａ，２４ｂ，…としては、「国語辞典」「英和辞典」「和英辞典」「英英辞典」などと共に、「広○辞」、「漢○源」など、種類の異なる言語の辞書データが予め、あるいは追加入力されて記憶される。
【００２７】
また、メモリ２３には、前記手書き入力部１６に表示すべきデータと前記タッチパネル式表示部１７に表示すべきデータとが独立して記憶される表示メモリ２６、前記手書き入力部１６やタッチパネル式表示部１７にて入力された手書き文字データを文字認識して得られる変換候補文字が記憶される文字認識変換候補バッファ２７、また前記各種のプログラム（２５）による処理に応じてＣＰＵ２１に入出力される種々のデータを必要に応じて記憶する作業領域などが確保される。
【００２８】
次に、前記構成の手書き入力機能付き電子辞書装置１０の動作について説明する。
【００２９】
図３は、前記手書き入力機能付き電子辞書装置１０により手書き入力された文字から辞書検索を行うための手書き辞書検索処理を示すフローチャートである。
【００３０】
この手書き辞書検索処理は、大別して辞書選択処理（ステップＳＡ）と検索文字列の入力処理（ステップＳＢ）と指定見出し語の説明情報表示処理（ステップＳＣ）とに分けられる。
【００３１】
前記辞書選択処理（ステップＳＡ）では、ユーザ操作に応じて選択された辞書の見出し語の使用言語（日本語，英語など）に応じて、検索文字列を手書き入力する際の入力方式を切り替えて設定する。
【００３２】
前記検索文字列の入力処理（ステップＳＢ）では、前記辞書選択処理にて切り替え設定された入力方式に従い手書き入力された検索文字列を認識・訂正・確定する。そして、確定された検索文字列に応じて見出し語検索を行い一覧表示する。
【００３３】
前記指定見出し語の説明情報表示処理（ステップＳＣ）では、前記検索文字列の入力処理にて一覧表示された見出し語の中からユーザ操作に応じて指定された見出し語に対応した訳語・意味内容・例文（用例）などの各種説明情報を辞書データ２４ａ，２４ｂ，…から読み出す。そして、指定の見出し語とその説明情報をタッチパネル式表示部１７に全画面表示する。
【００３４】
図４は、前記手書き入力機能付き電子辞書装置１０の手書き辞書検索処理に伴う辞書選択処理を示すフローチャートである。
【００３５】
図５は、前記手書き入力機能を備えた電子辞書装置１０の辞書選択処理に伴うユーザ操作に応じた表示動作を示す図である。
【００３６】
キー入力部（キーボード）１４の「メニュー」キーがユーザ操作に応じて入力されると（ステップＡ１（Ｙｅｓ））、辞書データ２４ａ，２４ｂ，…の何れかを検索の対象辞書として選択するための辞書選択画面がタッチパネル式表示部（主画面）１７に表示される（ステップＡ２）。
【００３７】
このタッチパネル式表示部（主画面）１７に表示された辞書選択画面において、ユーザ所望の辞書の表示項目が選択的にタッチされて入力されると（ステップＡ３（Ｙｅｓ））、当該選択された辞書データに対応した検索文字列の入力画面Ｇ（図５参照）が同タッチパネル式表示部（主画面）１７に表示される（ステップＡ４）。
【００３８】
ここで、前記検索文字列の入力画面Ｇは、ユーザ操作に応じて入力された文字が表示される検索文字入力エリアＭｋと、当該検索文字入力エリアＭｋに入力表示された検索文字（列）に先頭一致する見出し語が検索されて一覧表示される見出し語一覧エリアＬｍと、この見出し語一覧エリアＬｍにおいて反転カーソルＣｈにより指定された見出し語に対応した説明情報が読み出されてプレビュー表示される説明情報プレビューエリアＶｐからなる。
【００３９】
そして、前記ユーザ選択された辞書データが、例えば図５（Ａ）に示すように、見出し語の文字がアルファベットである英語系の辞書データ（英和辞典）２４ｂであると判断された場合には（ステップＡ６（Ｙｅｓ））、手書き入力部（副画面）１６においてその横方向を５分割してなる５枡の英語用手書き文字入力枠１６ｅ１〜１６ｅ５が表示されると共に、当該手書き文字入力枠１６ｅ１〜１６ｅ５に沿った直上に、認識された文字が順次入力表示される英語用認識文字表示エリア１６ｅｎ、および直前１文字の書き直しを指示する「書き直し」ボタン１６ｒが表示される（ステップＡ７）。
【００４０】
なお、前記手書き入力部１６には、その上端部に沿って「認識」ボタン１６ｂ１、「決定」ボタン１６ｂ２、「戻る」ボタン１６ｂ３、「見出しメモ」ボタン１６ｂ４が、動作中常時表示される。
【００４１】
また、前記ユーザ選択された辞書データが、例えば図５（Ｂ）に示すように、見出し語の文字が漢字やひらがなである国語（漢字）系の辞書データ（国語辞典）２４ａであると判断された場合には（ステップＡ５（Ｙｅｓ））、手書き入力部（副画面）１６においてその横方向を３分割してなる右側の２枡に国語用手書き文字入力枠１６ｋ１，１６ｋ２が表示されると共に、左側の１枡に、認識された文字が順次入力表示される国語用認識文字表示エリア１６ｋｎ、および直前１文字の書き直しを指示する「書き直し」ボタン１６ｒが表示される（ステップＡ８）。
【００４２】
すなわち、英語系辞書の場合には、その検索文字列は全て単純な字画のアルファベットにより入力されるので、前記英語用手書き文字入力枠１６ｅ１〜１６ｅ５の１文字当たりの入力枠領域が小さくても確実な手書き文字を入力することができ、しかもその入力枠数が多いほど一連の手書き文字（単語スペルなど）を検索文字列として効率的に入力することができる。
【００４３】
また、国語（漢字）系辞書の場合には、その検索文字列は複雑な字画の漢字やひらがなにより入力されるので、前記国語用手書き文字入力枠１６ｋ１，１６ｋ２のその枠数が少なくても１文字当たりの入力枠領域が大きいことで正確に手書き文字を入力することができ、漢字を含む熟語などの検索文字列を効率的に入力することができる。
【００４４】
さらに、前記ユーザ選択された辞書データが、前記国語（漢字）系の辞書データ（国語辞典）２４ａや英語（アルファベット）系の辞書データ（英和辞典）２４ｂではない、他の言語系の辞書データであると判断された場合には（ステップＡ６（Ｎｏ））、その辞書に応じた操作メニューが表示されるか、あるいは当該他の言語の検索文字列を手書き入力するのに適した枠数と大きさの手書き文字入力枠が手書き入力部（副画面）１６に表示される（ステップＡ９）。
【００４５】
図６は、前記手書き入力機能付き電子辞書装置１０の手書き辞書検索処理に伴う検索文字列入力処理を示すフローチャートである。
【００４６】
図７は、前記手書き入力機能付き電子辞書装置１０の手書き辞書検索処理に伴う指定見出し語の説明情報表示処理を示すフローチャートである。
【００４７】
例えば前記図５（Ａ）で示したように、英語系の辞書データ（英和辞典）２４ｂが選択されたことで手書き入力部１６に５枡の英語用手書き文字入力枠１６ｅ１〜１６ｅ５が表示された状態で、当該文字入力枠１６ｅ１〜１６ｅ５に手書き文字「ｈ」「ｏ」「ｂ」「ｂ」「ｙ」を入力して行くと（ステップＢ１）、順次次の入力枠に手書き文字を入力する毎にその直前の入力枠に入力された手書き文字が文字認識され、この文字認識された変換候補文字がメモリ２３内の文字認識変換候補バッファ２７に記憶されて行く（ステップＢ２）。
【００４８】
そして、前記文字認識された第１候補の文字が、前記タッチパネル式表示部（主画面）１７における検索文字列入力画面Ｇの検索文字入力エリアＭｋと前記手書き入力部（副画面）１６の英語用認識文字表示エリア１６ｅｎとの両方に順次追加で入力表示される（ステップＢ３）。
【００４９】
すると、前記タッチパネル式表示部（主画面）１７の検索文字入力エリアＭｋに順次入力表示されて行く検索文字列「ｈｏｂｂ…」に先頭一致する見出し語「Ｈｏｂｂｅｓ」「ｈｏｂｂｌｅ」…が辞書データ（英和辞典）２４ｂから検索され（ステップＢ４）、同タッチパネル式表示部（主画面）１７の見出し語一覧エリアＬｍに一覧表示される（ステップＢ５）。
【００５０】
この際、前記タッチパネル式表示部（主画面）１７の見出し語一覧エリアＬｍに一覧表示された各見出し語のうち、先頭の見出し語「Ｈｏｂｂｅｓ」が反転カーソルＣｈによりデフォルトで指定され、当該指定の見出し語「Ｈｏｂｂｅｓ」に対応する説明情報が前記辞書データ（英和辞典）２４ｂから読み出され、同タッチパネル式表示部（主画面）１７の説明情報プレビューエリアＶｐにプレビュー表示される。
【００５１】
また、例えば前記図５（Ｂ）で示したように、国語系の辞書データ（国語辞典）２４ａが選択されたことで手書き入力部１６に２枡の国語用手書き文字入力枠１６ｋ１，１６ｋ２が表示された状態で、当該文字入力枠１６ｋ１，１６ｋ２に手書き文字「生」「業」を入力して行くと（ステップＢ１）、順次次の入力枠に手書き文字を入力する毎にその直前の入力枠に入力された手書き文字が文字認識され、この文字認識された変換候補文字がメモリ２３内の文字認識変換候補バッファ２７に記憶されて行く（ステップＢ２）。
【００５２】
そして、前記文字認識された第１候補の文字が、前記タッチパネル式表示部（主画面）１７における検索文字列入力画面Ｇの検索文字入力エリアＭｋと前記手書き入力部（副画面）１６の国語用認識文字表示エリア１６ｋｎとの両方に順次追加で入力表示される（ステップＢ３）。
【００５３】
すると、前記タッチパネル式表示部（主画面）１７の検索文字入力エリアＭｋに順次入力表示されて行く検索文字列「生…」に先頭一致する見出し語「行く［生］」「うぶ［産・生・初］」…が辞書データ（国語辞典）２４ａから検索され（ステップＢ４）、同タッチパネル式表示部（主画面）１７の見出し語一覧エリアＬｍに一覧表示される（ステップＢ５）。
【００５４】
この際、前記タッチパネル式表示部（主画面）１７の見出し語一覧エリアＬｍに一覧表示された各見出し語のうち、先頭の見出し語「行く［生］」が反転カーソルＣｈによりデフォルトで指定され、当該指定の見出し語「行く［生］」に対応する説明情報が前記辞書データ（国語辞典）２４ａから読み出され、同タッチパネル式表示部（主画面）１７の説明情報プレビューエリアＶｐにプレビュー表示される。
【００５５】
なお、前記手書き入力部１６の手書き文字入力枠１６ｅ１〜１６ｅ５（１６ｋ１，１６ｋ２）に入力して行く最後の手書き文字「ｙ」（「業」）についての文字認識処理（ステップＢ２）は、当該最後の手書き文字の入力（ステップＢ１）に伴い当該手書き入力部１６の「認識」ボタン１６ｂ１をタッチ入力することで実行される。
【００５６】
ここで、前記手書き入力部１６の手書き文字入力枠１６ｅ１〜１６ｅ５（１６ｋ１，１６ｋ２）に対する手書き文字の入力およびその文字認識に伴い、前記タッチパネル式表示部（主画面）１７の検索文字入力エリアＭｋと当該手書き入力部（副画面）１６の認識文字表示エリア１６ｅｎ（１６ｋｎ）との両方に入力表示された検索文字の訂正処理について説明する。
【００５７】
図８は、前記手書き入力機能を備えた電子辞書装置１０の検索文字列入力・訂正処理および指定見出し語の説明情報表示処理に伴うユーザ操作に応じた表示動作を示す図である。
【００５８】
例えば図８（Ａ）に示すように、国語系の辞書データ（国語辞典）２４ａが選択されたことで手書き入力部１６に表示された２枡の国語用手書き文字入力枠１６ｋ１，１６ｋ２に応じて、所望の検索文字列「生業」を手書き入力して文字認識させる（ステップＢ１〜Ｂ８（Ｎｏ）→Ｂ１０（Ｎｏ）→Ｂ１，Ｂ２）。
【００５９】
ここで、図８（Ｂ）に示すように、所望の検索文字列「生業」のうち末尾の手書き文字「業」について、誤って認識された候補文字「葉」が、前記タッチパネル式表示部（主画面）１７の検索文字入力エリアＭｋと手書き入力部（副画面）１６の認識文字表示エリア１６ｋｎとの両方に追加で入力表示された場合に（ステップＢ３〜Ｂ５）、ユーザは、当該検索文字入力エリア（主画面）Ｍｋまたは認識文字表示エリア（副画面）１６ｋｎの何れかにて前記誤った候補文字「葉」をタッチして指定する（ステップＢ６→Ｂ７（Ｙｅｓ）またはＢ８（Ｙｅｓ））。
【００６０】
すると、図８（Ｃ）に示すように、前記検索文字入力エリア（主画面）Ｍｋまたは認識文字表示エリア（副画面）１６ｋｎにてタッチされ指定された候補文字「葉」と共にメモリ２３内の文字認識変換候補バッファ２７に記憶されている各変換候補文字が読み出され、手書き入力部１６の文字入力枠１６ｋ１，１６ｋ２に替えた変換候補文字一覧エリア１６Ｌに一覧表示される。そして、この変換候補文字一覧エリア１６Ｌにて一覧表示された各変換候補文字の中から正しい候補文字「業」が選択されてタッチされると、図８（Ｄ）に示すように、当該選択された候補文字「業」が前記誤った候補文字「葉」に替えて、前記タッチパネル式表示部（主画面）１７の検索文字入力エリアＭｋと当該手書き入力部（副画面）１６の認識文字表示エリア１６ｅｎ（１６ｋｎ）との両方に入力表示され修正される（ステップＢ９）。
【００６１】
すると、前記タッチパネル式表示部（主画面）１７の検索文字入力エリアＭｋに入力表示された検索文字列「生業」に先頭一致する見出し語「すぎあい［生業］」「すぎわい［生業］」…が辞書データ（国語辞典）２４ａから検索され（ステップＢ４）、同タッチパネル式表示部（主画面）１７の見出し語一覧エリアＬｍに一覧表示される（ステップＢ５）。
【００６２】
ここで、前記見出し語一覧エリアＬｍに一覧表示された各見出し語のうち、ユーザ所望の見出し語「すぎあい［生業］」がペンタッチされて指定され、反転カーソルＣｈにより識別表示された状態で、「訳／決定」キー１４ｃが入力されると（ステップＢ６（Ｙｅｓ））、図７における説明情報表示処理に移行される。
【００６３】
すると、前記指定の見出し語「すぎあい［生業］」に対応する説明情報が前記辞書データ（国語辞典）２４ａから読み出され（ステップＣ１）、図８（Ｅ）に示すように、タッチパネル式表示部（主画面）１７の全画面に説明情報表示画面Ｇ１として表示される（ステップＣ２）。
【００６４】
このようにタッチパネル式表示部（主画面）１７の全画面に表示された説明情報表示画面Ｇ１において、当該画面上部から一定エリア内の上方部がタッチされて指定されると（ステップＣ３（Ｙｅｓ））、現在表示中の説明情報が上スクロールされて表示され、同説明情報の下に続く内容を見ることができる（ステップＣ４）。
【００６５】
また一方、前記説明情報表示画面Ｇ１の画面下部から一定エリア内の下方部がタッチされて指定されると（ステップＣ５（Ｙｅｓ））、現在表示中の説明情報が下スクロールされて表示され、同説明情報の上に続く内容を見ることができる（ステップＣ６）。
【００６６】
次に、前記図３，図４における辞書選択処理（ステップＳＡ）において、分からない漢字を検索するための漢字系の辞書データ（漢字辞書）２４ｃが選択された場合の、手書き文字による検索文字列の入力機能（ステップＡ１〜Ａ６（Ｎｏ）→Ａ９）について詳細に説明する。
【００６７】
図９は、前記手書き入力機能付き電子辞書装置１０の手書き辞書検索処理に伴う漢字系辞書での検索処理を示すフローチャートである。
【００６８】
図１０は、前記手書き入力機能を備えた電子辞書装置１０の漢字系辞書での検索処理に伴うユーザ操作に応じた表示動作を示す図である。
【００６９】
「メニュー」キーのユーザ操作に応じてタッチパネル式表示部（主画面）１７に表示された辞書選択画面において、漢字系の辞書データ（漢字辞書）２４ｃが選択されると、図９における漢字系辞書での検索処理が起動される。すると、図１０（Ａ）に示すように、当該漢字辞書（２４ｃ）の初期画面となる検索方法の選択画面Ｇ２がタッチパネル式表示部１７に表示される（ステップＡ９ａ）。
【００７０】
この検索方法の選択画面Ｇ２において、「[A]単漢字／熟語を手書き入力から探す」の項目が選択されてタッチ入力され、反転カーソルＣｈにより識別表示されると（ステップＡ９ｂ，Ａ９ｃ（Ｎｏ））、前記図５（Ｂ）で示した国語辞典（２４ａ）を選択した場合と同様に、図１０（Ｂ）に示すように、手書き入力部（副画面）１６においてその横方向を３分割してなる右側の２枡に、漢字用手書き文字入力枠１６ｋ１′，１６ｋ２′が表示されると共に、左側の１枡内に、認識された文字が順次入力表示される漢字用認識文字表示エリア１６ｋｎ′、および直前１文字の書き直しを指示する「書き直し」ボタン１６ｒが表示される（ステップＡ９ｄ）。
【００７１】
すなわち、漢字系辞書で単漢字または熟語を検索する場合には、前記漢字用手書き文字入力枠１６ｋ１′，１６ｋ２′のその枠数が少なくても、１文字当たりの枠領域が大きいことで正確に手書き文字を入力することができ、漢字、熟語の検索文字列を効率的に入力することができる。
【００７２】
そして、前記手書き入力部１６の漢字用手書き文字入力枠１６ｋ１′，１６ｋ２′に従い、所望の漢字を手書き入力すると、当該手書き文字が認識されてタッチパネル式表示部１７の検索文字入力エリアＭｋと前記手書き入力部（副画面）１６の漢字用認識文字表示エリア１６ｋｎ′との両方に入力表示される。そして、前記検索文字入力エリアＭｋに入力表示された検索文字列に先頭一致する見出し語が、前記漢字系の辞書データ（漢字辞書）２４ｃから検索され、例えば図５（Ｂ）で示したように、見出し語一覧エリアＬｍに一覧表示される（ステップＡ９ｆ）。
【００７３】
一方、前記図１０（Ａ）で示した検索方法の選択画面Ｇ２において（ステップＡ９ａ）、「[B]単漢字を大きな手書き入力から探す」の項目が選択されてタッチ入力され、反転カーソルＣｈにより識別表示されると（ステップＡ９ｂ，Ａ９ｃ（Ｙｅｓ））、図１０（Ｃ）に示すように、タッチパネル式表示部（主画面）１７において、その表示画面の右半分の大部分の領域を占める単漢字用手書き入力枠１７ｋを有する単漢字入力画面Ｇ３が表示される。この単漢字入力画面Ｇ３の単漢字用手書き入力枠１７ｋの上部には、当該手書き入力枠１７ｋに入力した手書き文字の認識を指示する「認識」ボタン１７ｂ１、および同手書き文字の書き直しを指示する「書き直し」ボタン１７ｒが表示される（ステップＡ９ｅ）。
【００７４】
すなわち、漢字系辞書で例えば字画が多く複雑な単漢字を検索する場合には、前記タッチパネル式表示部１７の単漢字入力画面Ｇ３にて表示させた単漢字用手書き入力枠１７ｋの入力枠領域が非常に大きいことで、正確に手書きの漢字を入力することができ、単漢字の検索文字を効率的に入力することができる。
【００７５】
そして、前記タッチパネル式表示部１７の単漢字用手書き入力枠１７ｋに従い、所望の単漢字を手書き入力して「認識」ボタン１７ｂ１をタッチ入力すると、当該手書きの漢字が文字認識される。そして、その文字認識された第１候補文字が同タッチパネル式表示部１７の単漢字入力画面Ｇ３と切り替えて表示される検索文字入力エリアＭｋと前記手書き入力部（副画面）１６の漢字用認識文字表示エリア１６ｋｎ′との両方に入力表示される。そして、前記検索文字入力エリアＭｋに入力表示された検索文字（単漢字）に先頭一致する見出し語が、前記漢字系の辞書データ（漢字辞書）２４ｃから検索され、見出し語一覧エリアＬｍに一覧表示される（ステップＡ９ｆ）。
【００７６】
なお、前記タッチパネル式表示部１７の見出し語一覧エリアＬｍに一覧表示された各見出し語の中から所望の見出し語を選択的に指定して、当該指定の見出し語とその説明情報からなる説明情報表示画面Ｇ１を表示させる処理（説明情報表示処理）は、前記図７で示した説明情報表示処理（ステップＣ１〜Ｃ６）と同様に実行されるため、その説明を省略する。
【００７７】
また、前記構成の手書き入力機能付き電子辞書装置１０によれば、前記手書き入力部１６に表示させた英語用手書き文字入力枠１６ｅ１〜１６ｅ５や国語用手書き文字入力枠１６ｋ１，１６ｋ２にて手書き文字を入力した場合には、文字認識された第１候補文字が同手書き入力部１６内の認識文字表示エリア１６ｅｎ（１６ｋｎ）とタッチパネル式表示部１７内の検索文字入力エリアＭｋとの両方に入力表示され、この検索文字入力エリアＭｋに入力表示された文字列に先頭一致する見出し語検索が行われる。この際、前記タッチパネル式表示部１７の検索文字入力エリアＭｋに入力表示された候補文字か、または前記手書き入力部１６の認識文字表示エリア１６ｅｎ（１６ｋｎ）に入力表示された候補文字かの何れをタッチして指定しても、当該指定された候補文字を訂正するモードになり、同候補文字に対応する変換候補文字が手書き入力部１６に一覧表示され訂正可能になる。このため、手書きで入力する検索文字列も非常に簡単に訂正しながら入力して行くことができる。
【００７８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００７９】
１０  …手書き入力機能付き電子辞書装置
１１  …本体ケース
１２  …蓋体ケース
１３  …ヒンジ部
１４  …キー入力部（キーボード）
１４ａ…文字入力キー
１４ｂ…辞書指定キー
１４ｃ…「訳／決定」キー
１４ｄ…カーソルキー
１５Ｌ，１５Ｒ…スピーカ
１６  …手書き入力部
１６ｄ…液晶表示部
１６ｔ…透明タッチパネル
１６ｂ１…「認識」ボタン
１６ｂ２…「決定」ボタン
１６ｂ３…「戻る」ボタン
１６ｂ４…「見出しメモ」ボタン
１６ｅ１〜１６ｅ５…英語用手書き文字入力枠
１６ｅｎ…英語用認識文字表示エリア
１６ｋ１，１６ｋ２…国語用手書き文字入力枠
１６ｋｎ…国語用認識文字表示エリア
１６ｋ１′，１６ｋ２′…漢字用手書き文字入力枠
１６ｋｎ′…漢字用認識文字表示エリア
１６ｒ…「書き直し」ボタン
１６Ｌ…変換候補文字一覧エリア
１７  …タッチパネル式表示部
１７ｄ…液晶表示部
１７ｔ…透明タッチパネル
１７ｋ…単漢字用手書き入力枠
１７ｂ１…単漢字「認識」ボタン
１７ｒ…単漢字「書き直し」ボタン
２１  …ＣＰＵ
２２  …記憶装置
２３  …メモリ
２４ａ…国語辞典
２４ｂ…英和辞典
２５  …システムプログラム
２６  …表示メモリ
２７  …文字認識変換候補バッファ
Ｇ    …検索文字列入力画面
Ｇ１  …説明情報表示画面
Ｇ２  …検索方法選択画面
Ｇ３  …単漢字入力画面
Ｍｋ  …検索文字入力エリア
Ｌｍ  …見出し語一覧エリア
Ｃｈ  …反転カーソル
Ｖｐ  …説明情報プレビューエリアＶｐ
Ｐ    …ペン
【図１】
0005561312.tif 000002
【図２】
0005561312.tif 000003
【図３】
0005561312.tif 000004
【図４】
0005561312.tif 000005
【図５】
0005561312.tif 000006
【図６】
0005561312.tif 000007
【図７】
0005561312.tif 000008
【図８】
0005561312.tif 000009
【図９】
0005561312.tif 000010
【図１０】
0005561312.tif 000011